【手続補正書】
【提出日】平成20年1月23日(2008.1.23)
【手続補正１】
【補正対象書類名】明細書
【補正対象項目名】特許請求の範囲
【補正方法】変更
【補正の内容】
【特許請求の範囲】
【請求項１】
入力画像に対して所定の系列変換を施し、得られた変換係数をビットプレーン符号化する符号化手段と、
該符号化手段により得られた符号化データを保持する保持手段と、
所定の表示機器が表示するべき前記画像の第１の画質を認識する認識手段と、
前記符号化データにおける、所定の画質の画像を再生する為に必要なデータを、前記保持手段から読み出し出力する出力手段と、
該出力された符号化データを復号する復号手段と、
該復号手段により復号された画像を前記第１の画質に一致するよう調整する調整手段とを有し、
前記認識手段は、所定の条件に基づき前記保持された符号化データにおける、前記第１の画質よりも高画質な第２の画質を有する復号画像に対応する符号化データを前記出力手段に対して読み出すことを指示し、
前記調整手段は、前記出力手段により出力された符号化データを前記復号手段により復号した画像に対し、前記表示機器が表示するべき前記画像の画質を前記第１の画質に一致するよう調整することを特徴とする画像処理装置。
【請求項２】
前記調整手段は、前記認識手段により認識された第１の画質と前記復号手段により得られた第２の画質の差異に基づいて出力する画像を前記第１の画質に合致するよう調整することを特徴とする請求項１に記載の画像処理装置。
【請求項３】
前記第１の画質は表示するべき画像の解像度であることを特徴とする請求項１に記載の画像処理装置。
【請求項４】
前記第２の画質は表示するべき画像の解像度の２×２倍の解像度の画像であることを特徴とする請求項１に記載の画像処理装置。
【請求項５】
前記第２の画質は表示するべき画像の解像度の２×２倍以上の解像度の画像であることを特徴とする請求項１に記載の画像処理装置。
【請求項６】
前記第２の画質を有する復号画像は、前記保持手段が保持する符号化データが表現可能な最高解像度以下の画像であることを特徴とする請求項１に記載の画像処理装置。
【請求項７】
前記出力手段が出力する符号化データは、前記第２の画質に対応する符号化データにおいて、前記ビットプレーン符号化により生成された各ビットプレーンに係るデータの全て又は一部であることを特徴とする請求項４乃至６のいずれか１項に記載の画像処理装置。
【請求項８】
前記系列変換は離散ウェーブレット変換であることを特徴とする請求項１に記載の画像処理装置。
【請求項９】
前記復号手段は、前記第２の画質に対応する符号化データを復号する際に、前記第１の画質に係わらない符号化データについては所定のビットプレーンで復号を打ち切ることを特徴とする請求項１に記載の画像処理装置。
【請求項１０】
前記復号手段は、符号化対象となる画像を複数の矩形領域に分割し、該矩形領域を独立に符号化した符号化データを入力し、該矩形領域に相当する部分画像を順次出力することを特徴とする請求項１に記載の画像処理装置。
【請求項１１】
前記符号化手段は、入力した画像を複数の矩形領域に分割し、該矩形領域を独立に符号化した符号化データを出力することを特徴とする請求項１に記載の画像処理装置。
【請求項１２】
前記認識手段は、前記矩形領域を単位として独立に符号化された符号列に対し、所定の矩形領域に対しては第１の画質に係る符号列を、それ以外の矩形領域に対しては第２の画質に係る符号列を出力するよう前記出力手段に対し指示を行うことを特徴とする請求項１１に記載の画像処理装置。
【請求項１３】
前記出力手段は、前記矩形領域を単位として独立に符号化された符号列に対し、所定の矩形領域に対しては第１の画質に係る符号列を、それ以外の矩形領域に対しては第２の画質に係る符号列を出力することを特徴とする請求項１１に記載の画像処理装置。
【請求項１４】
入力画像に対して所定の系列変換を施し、得られた変換係数をビットプレーン符号化する符号化工程と、
該符号化工程で得られた符号化データを記憶手段に格納する工程と、
所定の表示機器が表示するべき前記画像の第１の画質を認識する認識工程と、
前記符号化データにおける、所定の画質の画像を再生する為に必要なデータを、前記記憶手段から読み出し出力する出力工程と、
該出力された符号化データを復号する復号工程と、
該復号工程において復号された画像を前記第１の画質に一致するよう調整する調整工程とを有し、
前記出力工程では、所定の条件に基づき前記保持された符号化データにおける、前記第１の画質よりも高画質な第２の画質を有する復号画像に対応する符号化データを読み出し、
前記調整工程では、前記出力工程で出力された符号化データを前記復号工程において復号した画像に対し、前記表示機器が表示するべき前記画像の画質を前記第１の画質に一致するよう調整することを特徴とする画像処理方法。
【請求項１５】
コンピュータを、
入力画像に対して所定の系列変換を施し、得られた変換係数をビットプレーン符号化する符号化手段、
該符号化手段により得られた符号化データを保持する保持手段、
所定の表示機器が表示するべき前記画像の第１の画質を認識する認識手段、
前記符号化データにおける、所定の画質の画像を再生する為に必要なデータを、前記保持手段から読み出し出力する出力手段、
該出力された符号化データを復号する復号手段、
該復号手段により復号された画像を前記第１の画質に一致するよう調整する調整手段、
として機能させるプログラムであって、
前記認識手段は、所定の条件に基づき前記保持された符号化データにおける、前記第１の画質よりも高画質な第２の画質を有する復号画像に対応する符号化データを前記出力手段に対して読み出すことを指示し、
前記調整手段は、前記出力手段により出力された符号化データを前記復号手段により復号した画像に対し、前記表示機器が表示するべき前記画像の画質を前記第１の画質に一致するよう調整することを特徴とするプログラム。
【請求項１６】
符号化部と復号部とを備えた画像処理装置であって、
前記符号化部は、
入力画像を符号化して符号化データを作成する手段と、
前記入力画像を表示する場合の画質の指定を受け付ける手段と、
前記符号化データのうち、指定された前記画質以上の画質で前記入力画像を表示するために必要な符号化データを出力する手段と、を備え、
前記復号部は、
前記符号化部から出力された前記符号化データを復号して画像データを作成する手段と、
前記画像データに基づく画像が、指定された前記画質よりも高い画質となる場合に、当該画像データを、指定された前記画質の画像データに変換する手段と、
を備えたことを特徴とする画像処理装置。
【請求項１７】
画像を符号化する符号化装置から出力される符号化データを復号する画像処理装置であって、
前記符号化装置に対して、前記画像の画質を指定する手段と、
前記符号化装置から出力された符号化データを復号して、指定した前記画質以上の画質の画像データを作成する手段と、
前記画像データに基づく画像が、指定した前記画質よりも高い画質となる場合に、当該画像データを、指定した前記画質の画像データに変換する手段と、
を備えたことを特徴とする画像処理装置。
【請求項１８】
符号化工程と復号工程とを含む画像処理方法であって、
前記符号化工程は、
入力画像を符号化して符号化データを作成する工程と、
前記入力画像を表示する場合の画質の指定を受け付ける工程と、
前記符号化データのうち、指定された前記画質以上の画質で前記入力画像を表示するために必要な符号化データを出力する工程と、を備え、
前記復号工程は、
前記符号化部から出力された前記符号化データを復号して画像データを作成する工程と、
前記画像データに基づく画像が、指定された前記画質よりも高い画質となる場合に、当該画像データを、指定された前記画質の画像データに変換する工程と、
を含むことを特徴とする画像処理方法。
【請求項１９】
画像を符号化する符号化装置から出力される符号化データを復号する画像処理方法であって、
前記符号化装置に対して、前記画像の画質を指定する工程と、
前記符号化装置から出力された符号化データを復号して、指定した前記画質以上の画質の画像データを作成する工程と、
前記画像データに基づく画像が、指定した前記画質よりも高い画質となる場合に、当該画像データを、指定した前記画質の画像データに変換する工程と、
を含む画像処理方法。
【請求項２０】
コンピュータを、符号化部及び復号部として機能させるプログラムであって、
前記符号化部は、
入力画像を符号化して符号化データを作成する手段と、
前記入力画像を表示する場合の画質の指定を受け付ける手段と、
前記符号化データのうち、指定された前記画質以上の画質で前記入力画像を表示するために必要な符号化データを出力する手段と、を備え、
前記復号部は、
前記符号化部から出力された前記符号化データを復号して画像データを作成する手段と、
前記画像データに基づく画像が、指定された前記画質よりも高い画質となる場合に、当該画像データを、指定された前記画質の画像データに変換する手段と、
を備えたことを特徴とするプログラム。
【請求項２１】
画像を符号化する符号化装置から出力される符号化データを復号するために、コンピュータを、
前記符号化装置に対して、前記画像の画質を指定する手段、
前記符号化装置から出力された符号化データを復号して、指定した前記画質以上の画質の画像データを作成する手段、
前記画像データに基づく画像が、指定した前記画質よりも高い画質となる場合に、当該画像データを、指定した前記画質の画像データに変換する手段、
として機能させるプログラム。
【請求項２２】
画像を符号化して符号化データを出力する画像処理装置であって、
前記画像の種類を判定する判定手段と、
前記画像に離散ウェーブレット変換を含む符号化を実行し、前記画像の符号化データを生成する符号化手段と、
前記符号化データを復号する場合における復号画像の解像度の入力を受け付ける手段と、
生成された前記符号化データのうち、入力された前記解像度により復号画像を生成するのに必要なデータを出力する出力手段と、を備え、
前記出力手段は、特定の種類の画像については、前記符号化データのうち、入力された前記解像度より高い解像度により復号画像を生成するのに必要なデータを出力することを特徴とする画像処理装置。
【請求項２３】
画像を符号化して符号化データを出力する画像処理装置であって、
前記画像を所定単位の複数の領域に分割する手段と、
分割された前記画像毎に、その種類を判定する判定手段と、
分割された前記画像毎に離散ウェーブレット変換を含む符号化を実行し、分割された前記画像毎の符号化データを生成する符号化手段と、
前記符号化データを復号する場合における復号画像の解像度の入力を受け付ける手段と、
生成された前記符号化データのうち、入力された前記解像度により復号画像を生成するのに必要なデータを出力する出力手段と、を備え、
前記出力手段は、特定の種類の画像に係る前記領域については、前記符号化データのうち、入力された前記解像度より高い解像度により復号画像を生成するのに必要なデータを出力することを特徴とする画像処理装置。
【請求項２４】
前記解像度の入力は、前記離散ウェーブレット変換による各サブバンドから合成できる解像度に対応した解像度の入力のみが受け付けられることを特徴とする請求項２３に記載の画像処理装置。
【請求項２５】
前記出力手段は、特定の種類の画像に係る前記領域については、前記符号化データのうち、入力された前記解像度より高い解像度により復号画像を生成するのに必要なサブバンドに係るデータを出力することを特徴とする請求項２４に記載の画像処理装置。
【請求項２６】
前記判定手段は、前記画像が、テキストを含む画像か否かを少なくとも判定し、前記特定の種類の画像には、テキストを含む画像が含まれることを特徴とする請求項２２又は２３に記載の画像処理装置。
【請求項２７】
前記領域が、矩形のタイルであることを特徴とする請求項２３に記載の画像処理装置。
【請求項２８】
前記符号化手段は、前記離散ウェーブレット変換を実行した後、量子化及びエントロピ符号化を実行することを特徴とする請求項２２又は２３に記載の画像処理装置。
【請求項２９】
請求項２３に記載の画像処理装置により出力された符号化データを復号するための画像処理装置であって、
前記特定の種類の画像に係る前記領域については、他の前記領域よりも高い解像度で前記復号画像を形成することを特徴とする画像処理装置。
【請求項３０】
前記特定の種類の画像に係る前記領域の前記復号画像を、他の前記領域の復号画像と同一の解像度の画像に変換する手段を有することを特徴とする請求項２９に記載の画像処理装置。
【請求項３１】
画像を符号化して符号化データを出力する画像処理装置であって、
離散ウェーブレット変換により、前記画像を複数のサブバンドに分解する第１の符号化手段と、
各々の前記サブバンドに係る画像を所定単位の領域で分割する手段と、
各々の前記領域に係る前記画像の種類を判定する判定手段と、
各々の前記領域に係る前記画像に対して、量子化及びエントロピ符号化を実行することにより前記領域毎の符号化データを生成する第２の符号化手段と、
前記符号化データを復号する場合における復号画像の解像度の入力を受け付ける手段と、
生成された前記符号化データのうち、入力された前記解像度により復号画像を生成するのに必要なデータを出力する出力手段と、を備え、
前記出力手段は、特定の種類の画像については、前記符号化データのうち、入力された前記解像度より高い解像度により復号画像を生成するのに必要なデータを出力することを特徴とする画像処理装置。
【請求項３２】
請求項３１に記載の画像処理装置により出力された符号化データを復号するための画像処理装置であって、
前記特定の種類の画像に係る前記領域については、他の前記領域よりも高い解像度で前記復号画像を形成することを特徴とする画像処理装置。
【請求項３３】
前記解像度にて第１の復号画像を形成する手段と、
前記特定の種類の画像に係る前記領域の前記符号化データに基づいて、第２の復号画像を形成する手段と、を備え、
前記第１及び第２の復号画像を合成することにより、前記特定の種類の画像に係る前記領域が他の前記領域よりも解像度が高い復号画像を形成することを特徴とする請求項３２に記載の画像処理装置。
【請求項３４】
画像を符号化して符号化データを出力する画像処理装置であって、
前記画像を所定単位の複数の領域に分割する手段と、
分割された前記画像毎に、その種類を判定する判定手段と、
分割された前記画像毎に離散ウェーブレット変換を含む符号化を実行し、分割された前記画像毎の符号化データを生成する符号化手段と、
前記符号化データを復号する場合における復号画像の解像度の入力を受け付ける手段と、
生成された前記符号化データのうち、入力された前記解像度により復号画像を生成するのに必要なデータを出力する出力手段と、を備え、
前記出力手段は、特定の種類の画像に係る前記領域については、前記符号化データのうち、入力された前記解像度より高い解像度により復号画像を生成するのに必要なデータを更に付加して出力することを特徴とする画像処理装置。
【請求項３５】
画像を符号化して符号化データを出力する画像処理方法であって、
前記画像の種類を判定する判定工程と、
前記画像に離散ウェーブレット変換を含む符号化を実行し、前記画像の符号化データを生成する符号化工程と、
前記符号化データを復号する場合における復号画像の解像度の入力を受け付ける工程と、
生成された前記符号化データのうち、入力された前記解像度により復号画像を生成するのに必要なデータを出力する出力工程と、を含み、
前記出力工程では、特定の種類の画像については、前記符号化データのうち、入力された前記解像度より高い解像度により復号画像を生成するのに必要なデータを出力することを特徴とする画像処理方法。
【請求項３６】
画像を符号化して符号化データを出力する画像処理方法であって、
前記画像を所定単位の複数の領域に分割する工程と、
分割された前記画像毎に、その種類を判定する判定工程と、
分割された前記画像毎に離散ウェーブレット変換を含む符号化を実行し、分割された前記画像毎の符号化データを生成する符号化工程と、
前記符号化データを復号する場合における復号画像の解像度の入力を受け付ける工程と、
生成された前記符号化データのうち、入力された前記解像度により復号画像を生成するのに必要なデータを出力する出力工程と、を含み、
前記出力工程では、特定の種類の画像に係る前記領域については、前記符号化データのうち、入力された前記解像度より高い解像度により復号画像を生成するのに必要なデータを出力することを特徴とする画像処理方法。
【請求項３７】
請求項３６に記載の画像処理方法により出力された符号化データを復号するための画像処理方法であって、
前記特定の種類の画像に係る前記領域については、他の前記領域よりも高い解像度で前記復号画像を形成することを特徴とする画像処理方法。
【請求項３８】
画像を符号化して符号化データを出力する画像処理方法であって、
離散ウェーブレット変換により、前記画像を複数のサブバンドに分解する第１の符号化工程と、
各々の前記サブバンドに係る画像を所定単位の領域で分割する工程と、
各々の前記領域に係る前記画像の種類を判定する判定工程と、
各々の前記領域に係る前記画像に対して、量子化及びエントロピ符号化を実行することにより前記領域毎の符号化データを生成する第２の符号化工程と、
前記符号化データを復号する場合における復号画像の解像度の入力を受け付ける工程と、
生成された前記符号化データのうち、入力された前記解像度により復号画像を生成するのに必要なデータを出力する出力工程と、を含み、
前記出力工程では、特定の種類の画像については、前記符号化データのうち、入力された前記解像度より高い解像度により復号画像を生成するのに必要なデータを出力することを特徴とする画像処理方法。
【請求項３９】
請求項３８に記載の画像処理方法により出力された符号化データを復号するための画像処理方法であって、
前記特定の種類の画像に係る前記領域については、他の前記領域よりも高い解像度で前記復号画像を形成することを特徴とする画像処理方法。
【請求項４０】
画像を符号化して符号化データを出力する画像処理方法であって、
前記画像を所定単位の複数の領域に分割する工程と、
分割された前記画像毎に、その種類を判定する判定工程と、
分割された前記画像毎に離散ウェーブレット変換を含む符号化を実行し、分割された前記画像毎の符号化データを生成する符号化工程と、
前記符号化データを復号する場合における復号画像の解像度の入力を受け付ける工程と、
生成された前記符号化データのうち、入力された前記解像度により復号画像を生成するのに必要なデータを出力する出力工程と、を含み、
前記出力工程では、特定の種類の画像に係る前記領域については、前記符号化データのうち、入力された前記解像度より高い解像度により復号画像を生成するのに必要なデータを更に付加して出力することを特徴とする画像処理方法。
【請求項４１】
画像を符号化して符号化データを出力するために、コンピュータを、
前記画像の種類を判定する判定手段、
前記画像に離散ウェーブレット変換を含む符号化を実行し、前記画像の符号化データを生成する符号化手段、
前記符号化データを復号する場合における復号画像の解像度の入力を受け付ける手段、
生成された前記符号化データのうち、入力された前記解像度により復号画像を生成するのに必要なデータを出力する出力手段、
として機能させるプログラムであって、
前記出力手段は、特定の種類の画像については、前記符号化データのうち、入力された前記解像度より高い解像度により復号画像を生成するのに必要なデータを出力することを特徴とするプログラム。
【請求項４２】
画像を符号化して符号化データを出力するために、コンピュータを、
前記画像を所定単位の複数の領域に分割する手段、
分割された前記画像毎に、その種類を判定する判定手段、
分割された前記画像毎に離散ウェーブレット変換を含む符号化を実行し、分割された前記画像毎の符号化データを生成する符号化手段、
前記符号化データを復号する場合における復号画像の解像度の入力を受け付ける手段、
生成された前記符号化データのうち、入力された前記解像度により復号画像を生成するのに必要なデータを出力する出力手段、
として機能させるプログラムであって、
前記出力手段は、特定の種類の画像に係る前記領域については、前記符号化データのうち、入力された前記解像度より高い解像度により復号画像を生成するのに必要なデータを出力することを特徴とするプログラム。
【請求項４３】
請求項４２に記載のプログラムをコンピュータが実行することにより出力された符号化データを復号するために、コンピュータを、
前記特定の種類の画像に係る前記領域については、他の前記領域よりも高い解像度で前記復号画像を形成する手段、
として機能させるプログラム。
【請求項４４】
画像を符号化して符号化データを出力するために、コンピュータを、
離散ウェーブレット変換により、前記画像を複数のサブバンドに分解する第１の符号化手段、
各々の前記サブバンドに係る画像を所定単位の領域で分割する手段、
各々の前記領域に係る前記画像の種類を判定する判定手段、
各々の前記領域に係る前記画像に対して、量子化及びエントロピ符号化を実行することにより前記領域毎の符号化データを生成する第２の符号化手段、
前記符号化データを復号する場合における復号画像の解像度の入力を受け付ける手段、
生成された前記符号化データのうち、入力された前記解像度により復号画像を生成するのに必要なデータを出力する出力手段、
として機能させるプログラムであって、
前記出力手段は、特定の種類の画像については、前記符号化データのうち、入力された前記解像度より高い解像度により復号画像を生成するのに必要なデータを出力することを特徴とするプログラム。
【請求項４５】
請求項４４に記載のプログラムをコンピュータが実行することにより出力された符号化データを復号するために、コンピュータを、
前記特定の種類の画像に係る前記領域については、他の前記領域よりも高い解像度で前記復号画像を形成する手段、
として機能させるプログラム。
【請求項４６】
画像を符号化して符号化データを出力するために、コンピュータを、
前記画像を所定単位の複数の領域に分割する手段、
分割された前記画像毎に、その種類を判定する判定手段、
分割された前記画像毎に離散ウェーブレット変換を含む符号化を実行し、分割された前記画像毎の符号化データを生成する符号化手段、
前記符号化データを復号する場合における復号画像の解像度の入力を受け付ける手段、
生成された前記符号化データのうち、入力された前記解像度により復号画像を生成するのに必要なデータを出力する出力手段、
として機能させるプログラムであって、
前記出力手段は、特定の種類の画像に係る前記領域については、前記符号化データのうち、入力された前記解像度より高い解像度により復号画像を生成するのに必要なデータを更に付加して出力することを特徴とするプログラム。
【手続補正２】
【補正対象書類名】明細書
【補正対象項目名】０００１
【補正方法】変更
【補正の内容】
【０００１】
【発明の属する技術分野】
本発明は、画像処理の分野に関し、特に、系列変換を用いた画像の符号化及びその復号に関する。
【手続補正３】
【補正対象書類名】明細書
【補正対象項目名】００１２
【補正方法】変更
【補正の内容】
【００１２】
従って、本発明の目的は、縮小画像等の提供にあたり、画像の符号化・復号を行う場合に、画像全体または必要な部分の画質を維持し得る画像処理技術を提供することにある。
【手続補正４】
【補正対象書類名】明細書
【補正対象項目名】００１３
【補正方法】変更
【補正の内容】
【００１３】
【課題を解決するための手段】
本発明によれば、入力画像に対して所定の系列変換を施し、得られた変換係数をビットプレーン符号化する符号化手段と、該符号化手段により得られた符号化データを保持する保持手段と、所定の表示機器が表示するべき前記画像の第１の画質を認識する認識手段と、前記符号化データにおける、所定の画質の画像を再生する為に必要なデータを、前記保持手段から読み出し出力する出力手段と、該出力された符号化データを復号する復号手段と、該復号手段により復号された画像を前記第１の画質に一致するよう調整する調整手段とを有し、前記認識手段は、所定の条件に基づき前記保持された符号化データにおける、前記第１の画質よりも高画質な第２の画質を有する復号画像に対応する符号化データを前記出力手段に対して読み出すことを指示し、前記調整手段は、前記出力手段により出力された符号化データを前記復号手段により復号した画像に対し、前記表示機器が表示するべき前記画像の画質を前記第１の画質に一致するよう調整することを特徴とする画像処理装置が提供される。
【手続補正５】
【補正対象書類名】明細書
【補正対象項目名】００１４
【補正方法】変更
【補正の内容】
【００１４】
また、本発明によれば、入力画像に対して所定の系列変換を施し、得られた変換係数をビットプレーン符号化する符号化工程と、該符号化工程で得られた符号化データを記憶手段に格納する工程と、所定の表示機器が表示するべき前記画像の第１の画質を認識する認識工程と、前記符号化データにおける、所定の画質の画像を再生する為に必要なデータを、前記記憶手段から読み出し出力する出力工程と、該出力された符号化データを復号する復号工程と、該復号工程において復号された画像を前記第１の画質に一致するよう調整する調整工程とを有し、前記出力工程では、所定の条件に基づき前記保持された符号化データにおける、前記第１の画質よりも高画質な第２の画質を有する復号画像に対応する符号化データを読み出し、前記調整工程では、前記出力工程で出力された符号化データを前記復号工程において復号した画像に対し、前記表示機器が表示するべき前記画像の画質を前記第１の画質に一致するよう調整することを特徴とする画像処理方法が提供される。
【手続補正６】
【補正対象書類名】明細書
【補正対象項目名】００１５
【補正方法】変更
【補正の内容】
【００１５】
また、本発明によれば、コンピュータを、入力画像に対して所定の系列変換を施し、得られた変換係数をビットプレーン符号化する符号化手段、該符号化手段により得られた符号化データを保持する保持手段、所定の表示機器が表示するべき前記画像の第１の画質を認識する認識手段、前記符号化データにおける、所定の画質の画像を再生する為に必要なデータを、前記保持手段から読み出し出力する出力手段、該出力された符号化データを復号する復号手段、該復号手段により復号された画像を前記第１の画質に一致するよう調整する調整手段、として機能させるプログラムであって、前記認識手段は、所定の条件に基づき前記保持された符号化データにおける、前記第１の画質よりも高画質な第２の画質を有する復号画像に対応する符号化データを前記出力手段に対して読み出すことを指示し、前記調整手段は、前記出力手段により出力された符号化データを前記復号手段により復号した画像に対し、前記表示機器が表示するべき前記画像の画質を前記第１の画質に一致するよう調整することを特徴とするプログラムが提供される。
【手続補正７】
【補正対象書類名】明細書
【補正対象項目名】００１６
【補正方法】変更
【補正の内容】
【００１６】
また、本発明によれば、符号化部と復号部とを備えた画像処理装置であって、前記符号化部は、入力画像を符号化して符号化データを作成する手段と、前記入力画像を表示する場合の画質の指定を受け付ける手段と、前記符号化データのうち、指定された前記画質以上の画質で前記入力画像を表示するために必要な符号化データを出力する手段と、を備え、前記復号部は、前記符号化部から出力された前記符号化データを復号して画像データを作成する手段と、前記画像データに基づく画像が、指定された前記画質よりも高い画質となる場合に、当該画像データを、指定された前記画質の画像データに変換する手段と、を備えたことを特徴とする画像処理装置が提供される。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】変更
【補正の内容】
【００１８】
また、本発明によれば、画像を符号化する符号化装置から出力される符号化データを復号する画像処理装置であって、前記符号化装置に対して、前記画像の画質を指定する手段と、前記符号化装置から出力された符号化データを復号して、指定した前記画質以上の画質の画像データを作成する手段と、前記画像データに基づく画像が、指定した前記画質よりも高い画質となる場合に、当該画像データを、指定した前記画質の画像データに変換する手段と、を備えたことを特徴とする画像処理装置が提供される。
【手続補正１０】
【補正対象書類名】明細書
【補正対象項目名】００１９
【補正方法】変更
【補正の内容】
【００１９】
また、本発明によれば、符号化工程と復号工程とを含む画像処理方法であって、前記符号化工程は、入力画像を符号化して符号化データを作成する工程と、前記入力画像を表示する場合の画質の指定を受け付ける工程と、前記符号化データのうち、指定された前記画質以上の画質で前記入力画像を表示するために必要な符号化データを出力する工程と、を備え、前記復号工程は、前記符号化部から出力された前記符号化データを復号して画像データを作成する工程と、前記画像データに基づく画像が、指定された前記画質よりも高い画質となる場合に、当該画像データを、指定された前記画質の画像データに変換する工程と、を含むことを特徴とする画像処理方法が提供される。
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】変更
【補正の内容】
【００２１】
また、本発明によれば、画像を符号化する符号化装置から出力される符号化データを復号する画像処理方法であって、前記符号化装置に対して、前記画像の画質を指定する工程と、前記符号化装置から出力された符号化データを復号して、指定した前記画質以上の画質の画像データを作成する工程と、前記画像データに基づく画像が、指定した前記画質よりも高い画質となる場合に、当該画像データを、指定した前記画質の画像データに変換する工程と、を含む画像処理方法が提供される。
【手続補正１３】
【補正対象書類名】明細書
【補正対象項目名】００２２
【補正方法】変更
【補正の内容】
【００２２】
また、本発明によれば、コンピュータを、符号化部及び復号部として機能させるプログラムであって、前記符号化部は、入力画像を符号化して符号化データを作成する手段と、前記入力画像を表示する場合の画質の指定を受け付ける手段と、前記符号化データのうち、指定された前記画質以上の画質で前記入力画像を表示するために必要な符号化データを出力する手段と、を備え、前記復号部は、前記符号化部から出力された前記符号化データを復号して画像データを作成する手段と、前記画像データに基づく画像が、指定された前記画質よりも高い画質となる場合に、当該画像データを、指定された前記画質の画像データに変換する手段と、を備えたことを特徴とするプログラムが提供される。
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】変更
【補正の内容】
【００２４】
また、本発明によれば、画像を符号化する符号化装置から出力される符号化データを復号するために、コンピュータを、前記符号化装置に対して、前記画像の画質を指定する手段、前記符号化装置から出力された符号化データを復号して、指定した前記画質以上の画質の画像データを作成する手段、前記画像データに基づく画像が、指定した前記画質よりも高い画質となる場合に、当該画像データを、指定した前記画質の画像データに変換する手段、として機能させるプログラムが提供される。
【手続補正１６】
【補正対象書類名】明細書
【補正対象項目名】００２５
【補正方法】変更
【補正の内容】
【００２５】
また、本発明によれば、画像を符号化して符号化データを出力する画像処理装置であって、前記画像の種類を判定する判定手段と、前記画像に離散ウェーブレット変換を含む符号化を実行し、前記画像の符号化データを生成する符号化手段と、前記符号化データを復号する場合における復号画像の解像度の入力を受け付ける手段と、生成された前記符号化データのうち、入力された前記解像度により復号画像を生成するのに必要なデータを出力する出力手段と、を備え、前記出力手段は、特定の種類の画像については、前記符号化データのうち、入力された前記解像度より高い解像度により復号画像を生成するのに必要なデータを出力することを特徴とする画像処理装置が提供される。
【手続補正１７】
【補正対象書類名】明細書
【補正対象項目名】００２６
【補正方法】変更
【補正の内容】
【００２６】
また、本発明によれば、画像を符号化して符号化データを出力する画像処理装置であって、前記画像を所定単位の複数の領域に分割する手段と、分割された前記画像毎に、その種類を判定する判定手段と、分割された前記画像毎に離散ウェーブレット変換を含む符号化を実行し、分割された前記画像毎の符号化データを生成する符号化手段と、前記符号化データを復号する場合における復号画像の解像度の入力を受け付ける手段と、生成された前記符号化データのうち、入力された前記解像度により復号画像を生成するのに必要なデータを出力する出力手段と、を備え、前記出力手段は、特定の種類の画像に係る前記領域については、前記符号化データのうち、入力された前記解像度より高い解像度により復号画像を生成するのに必要なデータを出力することを特徴とする画像処理装置が提供される。
【手続補正１８】
【補正対象書類名】明細書
【補正対象項目名】００２７
【補正方法】変更
【補正の内容】
【００２７】
また、本発明によれば、画像を符号化して符号化データを出力する画像処理装置であって、離散ウェーブレット変換により、前記画像を複数のサブバンドに分解する第１の符号化手段と、各々の前記サブバンドに係る画像を所定単位の領域で分割する手段と、各々の前記領域に係る前記画像の種類を判定する判定手段と、各々の前記領域に係る前記画像に対して、量子化及びエントロピ符号化を実行することにより前記領域毎の符号化データを生成する第２の符号化手段と、前記符号化データを復号する場合における復号画像の解像度の入力を受け付ける手段と、生成された前記符号化データのうち、入力された前記解像度により復号画像を生成するのに必要なデータを出力する出力手段と、を備え、前記出力手段は、特定の種類の画像については、前記符号化データのうち、入力された前記解像度より高い解像度により復号画像を生成するのに必要なデータを出力することを特徴とする画像処理装置が提供される。
【手続補正１９】
【補正対象書類名】明細書
【補正対象項目名】００２８
【補正方法】変更
【補正の内容】
【００２８】
また、本発明によれば、画像を符号化して符号化データを出力する画像処理装置であって、前記画像を所定単位の複数の領域に分割する手段と、分割された前記画像毎に、その種類を判定する判定手段と、分割された前記画像毎に離散ウェーブレット変換を含む符号化を実行し、分割された前記画像毎の符号化データを生成する符号化手段と、前記符号化データを復号する場合における復号画像の解像度の入力を受け付ける手段と、生成された前記符号化データのうち、入力された前記解像度により復号画像を生成するのに必要なデータを出力する出力手段と、を備え、前記出力手段は、特定の種類の画像に係る前記領域については、前記符号化データのうち、入力された前記解像度より高い解像度により復号画像を生成するのに必要なデータを更に付加して出力することを特徴とする画像処理装置が提供される。
【手続補正２０】
【補正対象書類名】明細書
【補正対象項目名】００２９
【補正方法】変更
【補正の内容】
【００２９】
また、本発明によれば、画像を符号化して符号化データを出力する画像処理方法であって、前記画像の種類を判定する判定工程と、前記画像に離散ウェーブレット変換を含む符号化を実行し、前記画像の符号化データを生成する符号化工程と、前記符号化データを復号する場合における復号画像の解像度の入力を受け付ける工程と、生成された前記符号化データのうち、入力された前記解像度により復号画像を生成するのに必要なデータを出力する出力工程と、を含み、前記出力工程では、特定の種類の画像については、前記符号化データのうち、入力された前記解像度より高い解像度により復号画像を生成するのに必要なデータを出力することを特徴とする画像処理方法が提供される。
【手続補正２１】
【補正対象書類名】明細書
【補正対象項目名】００３０
【補正方法】変更
【補正の内容】
【００３０】
また、本発明によれば、画像を符号化して符号化データを出力する画像処理方法であって、前記画像を所定単位の複数の領域に分割する工程と、分割された前記画像毎に、その種類を判定する判定工程と、分割された前記画像毎に離散ウェーブレット変換を含む符号化を実行し、分割された前記画像毎の符号化データを生成する符号化工程と、前記符号化データを復号する場合における復号画像の解像度の入力を受け付ける工程と、生成された前記符号化データのうち、入力された前記解像度により復号画像を生成するのに必要なデータを出力する出力工程と、を含み、前記出力工程では、特定の種類の画像に係る前記領域については、前記符号化データのうち、入力された前記解像度より高い解像度により復号画像を生成するのに必要なデータを出力することを特徴とする画像処理方法が提供される。
【手続補正２２】
【補正対象書類名】明細書
【補正対象項目名】００３１
【補正方法】変更
【補正の内容】
【００３１】
また、本発明によれば、画像を符号化して符号化データを出力する画像処理方法であって、離散ウェーブレット変換により、前記画像を複数のサブバンドに分解する第１の符号化工程と、各々の前記サブバンドに係る画像を所定単位の領域で分割する工程と、各々の前記領域に係る前記画像の種類を判定する判定工程と、各々の前記領域に係る前記画像に対して、量子化及びエントロピ符号化を実行することにより前記領域毎の符号化データを生成する第２の符号化工程と、前記符号化データを復号する場合における復号画像の解像度の入力を受け付ける工程と、生成された前記符号化データのうち、入力された前記解像度により復号画像を生成するのに必要なデータを出力する出力工程と、を含み、前記出力工程では、特定の種類の画像については、前記符号化データのうち、入力された前記解像度より高い解像度により復号画像を生成するのに必要なデータを出力することを特徴とする画像処理方法が提供される。
【手続補正２３】
【補正対象書類名】明細書
【補正対象項目名】００３２
【補正方法】変更
【補正の内容】
【００３２】
また、本発明によれば、画像を符号化して符号化データを出力する画像処理方法であって、前記画像を所定単位の複数の領域に分割する工程と、分割された前記画像毎に、その種類を判定する判定工程と、分割された前記画像毎に離散ウェーブレット変換を含む符号化を実行し、分割された前記画像毎の符号化データを生成する符号化工程と、前記符号化データを復号する場合における復号画像の解像度の入力を受け付ける工程と、生成された前記符号化データのうち、入力された前記解像度により復号画像を生成するのに必要なデータを出力する出力工程と、を含み、前記出力工程では、特定の種類の画像に係る前記領域については、前記符号化データのうち、入力された前記解像度より高い解像度により復号画像を生成するのに必要なデータを更に付加して出力することを特徴とする画像処理方法が提供される。
【手続補正２４】
【補正対象書類名】明細書
【補正対象項目名】００３３
【補正方法】変更
【補正の内容】
【００３３】
また、本発明によれば、画像を符号化して符号化データを出力するために、コンピュータを、前記画像の種類を判定する判定手段、前記画像に離散ウェーブレット変換を含む符号化を実行し、前記画像の符号化データを生成する符号化手段、前記符号化データを復号する場合における復号画像の解像度の入力を受け付ける手段、生成された前記符号化データのうち、入力された前記解像度により復号画像を生成するのに必要なデータを出力する出力手段、として機能させるプログラムであって、前記出力手段は、特定の種類の画像については、前記符号化データのうち、入力された前記解像度より高い解像度により復号画像を生成するのに必要なデータを出力することを特徴とするプログラムが提供される。
【手続補正２５】
【補正対象書類名】明細書
【補正対象項目名】００３４
【補正方法】変更
【補正の内容】
【００３４】
また、本発明によれば、画像を符号化して符号化データを出力するために、コンピュータを、前記画像を所定単位の複数の領域に分割する手段、分割された前記画像毎に、その種類を判定する判定手段、分割された前記画像毎に離散ウェーブレット変換を含む符号化を実行し、分割された前記画像毎の符号化データを生成する符号化手段、前記符号化データを復号する場合における復号画像の解像度の入力を受け付ける手段、生成された前記符号化データのうち、入力された前記解像度により復号画像を生成するのに必要なデータを出力する出力手段、として機能させるプログラムであって、前記出力手段は、特定の種類の画像に係る前記領域については、前記符号化データのうち、入力された前記解像度より高い解像度により復号画像を生成するのに必要なデータを出力することを特徴とするプログラムが提供される。
【手続補正２６】
【補正対象書類名】明細書
【補正対象項目名】００３５
【補正方法】変更
【補正の内容】
【００３５】
また、本発明によれば、画像を符号化して符号化データを出力するために、コンピュータを、離散ウェーブレット変換により、前記画像を複数のサブバンドに分解する第１の符号化手段、各々の前記サブバンドに係る画像を所定単位の領域で分割する手段、各々の前記領域に係る前記画像の種類を判定する判定手段、各々の前記領域に係る前記画像に対して、量子化及びエントロピ符号化を実行することにより前記領域毎の符号化データを生成する第２の符号化手段、前記符号化データを復号する場合における復号画像の解像度の入力を受け付ける手段、生成された前記符号化データのうち、入力された前記解像度により復号画像を生成するのに必要なデータを出力する出力手段、として機能させるプログラムであって、前記出力手段は、特定の種類の画像については、前記符号化データのうち、入力された前記解像度より高い解像度により復号画像を生成するのに必要なデータを出力することを特徴とするプログラムが提供される。
【手続補正２７】
【補正対象書類名】明細書
【補正対象項目名】００３６
【補正方法】変更
【補正の内容】
【００３６】
また、本発明によれば、画像を符号化して符号化データを出力するために、コンピュータを、前記画像を所定単位の複数の領域に分割する手段、分割された前記画像毎に、その種類を判定する判定手段、分割された前記画像毎に離散ウェーブレット変換を含む符号化を実行し、分割された前記画像毎の符号化データを生成する符号化手段、前記符号化データを復号する場合における復号画像の解像度の入力を受け付ける手段、生成された前記符号化データのうち、入力された前記解像度により復号画像を生成するのに必要なデータを出力する出力手段、として機能させるプログラムであって、前記出力手段は、特定の種類の画像に係る前記領域については、前記符号化データのうち、入力された前記解像度より高い解像度により復号画像を生成するのに必要なデータを更に付加して出力することを特徴とするプログラムが提供される。
【手続補正２８】
【補正対象書類名】明細書
【補正対象項目名】０１３２
【補正方法】変更
【補正の内容】
【０１３２】
【発明の効果】
以上述べたように、本発明によれば、縮小画像等の提供にあたり、画像の符号化・復号を行う場合に、画像全体または必要な部分の画質を維持することができる。